(57)【要約】  本発明は、（ａ）１〜７の平均アルコキシル化度を有する、組成物の０．１重量％〜５重量％の分枝鎖アルキルアルコキシル化サルフェート界面活性剤、（ｂ）１〜７の平均アルコキシル化度を有する、組成物の０．１重量％〜５重量％の直鎖アルキルアルコキシル化サルフェート界面活性剤、（ｃ）０．１重量％〜３５重量％の直鎖アルキルベンゼンスルホン酸界面活性剤、（ｄ）０重量％〜５重量％のゼオライトビルダー、（ｅ）０重量％〜５重量％のリン酸塩ビルダー、及び（ｆ）任意の補助剤成分を含み、分枝鎖アルキルアルコキシル化サルフェート界面活性剤と直鎖アルキルアルコキシル化サルフェート界面活性剤との重量比が０．２：１〜４：１の範囲内である固形洗濯洗剤組成物に関する。【特許請求の範囲】
【請求項１】
固形洗濯洗剤組成物であって、
（ａ）１〜７の平均アルコキシル化度を有する、前記組成物の０．１重量％〜５重量％の分枝鎖アルキルアルコキシル化サルフェート界面活性剤、
（ｂ）１〜７の平均アルコキシル化度を有する、前記組成物の０．１重量％〜５重量％の直鎖アルキルアルコキシル化サルフェート界面活性剤、
（ｃ）０．１重量％〜３５重量％の直鎖アルキルベンゼンスルホン酸界面活性剤、
（ｄ）０重量％〜５重量％のゼオライトビルダー、
（ｅ）０重量％〜５重量％のリン酸塩ビルダー、及び
（ｆ）任意の補助剤成分を含み、
前記分枝鎖アルキルアルコキシル化サルフェート界面活性剤と前記直鎖アルキルアルコキシル化サルフェート界面活性剤との重量比が０．２：１〜４：１の範囲内である、固形洗濯洗剤組成物。
【請求項２】
前記分枝鎖アルキルアルコキシル化サルフェート界面活性剤が、
（ａ）アルキル鎖の１．２重量％未満が１２炭素原子未満の鎖長を有するアルキル鎖であり、
（ｂ）アルキル鎖の５重量％〜２０重量％が１２炭素原子の鎖長を有するアルキル鎖であり、
（ｃ）アルキル鎖の４０重量％〜５０重量％が１４炭素原子の鎖長を有するアルキル鎖であり、及び
（ｄ）アルキル鎖の４重量％未満が１５炭素原子を超える鎖長を有するアルキル鎖であるようなアルキル鎖長分布を有する、請求項１に記載の組成物。
【請求項３】
前記分枝鎖アルキルアルコキシル化サルフェート界面活性剤が、Ｃ１〜Ｃ３アルキル部分が分枝するＣ１２〜Ｃ１５アルキルエトキシ化サルフェート界面活性剤である、請求項１又は２に記載の組成物。
【請求項４】
前記分枝鎖アルキルアルコキシル化サルフェート界面活性剤が主に２位で分枝する、請求項１〜３のいずれか一項に記載の組成物。
【請求項５】
前記直鎖アルキルアルコキシル化サルフェート界面活性剤が、
（ａ）アルキル鎖の１．２重量％未満が１２炭素原子未満の鎖長を有するアルキル鎖であり、
（ｂ）アルキル鎖の５重量％〜２０重量％が１２炭素原子の鎖長を有するアルキル鎖であり、
（ｃ）アルキル鎖の４０重量％〜５０重量％が１４炭素原子の鎖長を有するアルキル鎖であり、及び
（ｄ）アルキル鎖の４重量％未満が１５炭素原子を超える鎖長を有するアルキル鎖であるようなアルキル鎖長分布を有する、請求項１〜４のいずれか一項に記載の組成物。
【請求項６】
前記直鎖アルキルアルコキシル化サルフェート界面活性剤が直鎖Ｃ１２〜Ｃ１５アルキルエトキシ化サルフェート界面活性剤である、請求項１〜５のいずれか一項に記載の組成物。
【請求項７】
前記組成物がゼオライトビルダー及びリン酸塩ビルダーを実質的に含まない、請求項１〜６のいずれか一項に記載の組成物。
【請求項８】
前記分枝鎖アルキルアルコキシル化サルフェート界面活性剤と前記直鎖アルキルアルコキシル化サルフェート界面活性剤との重量比が１：１〜１．５：１の範囲内である、請求項１〜７のいずれか一項に記載の組成物。
【請求項９】
前記分枝鎖アルキルアルコキシル化サルフェート界面活性剤、前記直鎖アルキルアルコキシル化サルフェート界面活性剤、及び前記直鎖アルキルベンゼンスルホン酸界面活性剤が共同微粒子混合物の形態で、好ましくは粒塊状である、請求項１〜８のいずれか一項に記載の組成物。
【請求項１０】
前記組成物が炭酸塩源及び硫酸ナトリウムを含み、前記炭酸塩源と硫酸ナトリウムとの比が０．１：１〜１：１の範囲内である、請求項１〜９のいずれか一項に記載の組成物。
【請求項１１】
前記直鎖アルキルベンゼンスルホン酸と直鎖及び分枝鎖アルキルアルコキシル化サルフェート界面活性剤の総量との重量比が１：１〜２０：１の範囲内である、請求項１〜１０のいずれか一項に記載の組成物。
【発明の詳細な説明】
【技術分野】
【０００１】
本発明は、固形洗濯洗剤組成物に関する。詳細には、本発明は、良好な製品の分配及び溶解特性と共に良好な布地洗浄性能を備える、顆粒状、又はタブレットなどその他固形状の洗濯洗剤組成物に関する。
【背景技術】
【０００２】
固形洗濯洗剤組成物は、広範な汚れの種類に対して非常に良好な布地洗浄性能を有する必要がある。固形洗濯洗剤はまた、非常に優れた分配及び溶解特性も有する必要がある。しかしながら、その布地洗浄性能を高めるための固形洗濯洗剤組成物のある種の改質がその分配及び溶解特性に悪影響を及ぼす場合があり、また逆も同様にあり得るという二分する意見が存在し得る。固形洗濯洗剤組成物の洗浄性能と、分配特性及び溶解特性とを同時に高めるのは非常に困難である。
【０００３】
アニオン性洗浄界面活性剤が、良好な布地洗浄性能を提供するために顆粒状洗濯洗剤組成物に組み込まれる。例えば、ＧＢ１４０８９６９、ＧＢ１４０８９７０、米国特許第４４８７７１０号、米国特許第５６６３１３６号及びＰＣＴ国際公開特許ＷＯ２００４／０４１９８２はいずれも、アニオン性洗浄界面活性剤を含む組成物に関する。しかしながら、アニオン性洗浄界面活性剤は、当該アニオン性洗浄界面活性剤を溶液（solution）から析出させるような方式で、洗浄溶液中に存在するカルシウムイオン及びマグネシウムカチオンのような遊離カチオン類と錯体を形成することが可能であり、これは当該アニオン性洗浄界面活性剤の活性を低下させる。極端な場合は、前記の非水溶性錯体が布地に付着して、その結果、白色度の維持を低下させて、布地一体性効果（fabric integrity benefits）を低下させる場合がある。このことは、高濃度のカルシウムカチオン類が存在するとき、硬水洗浄条件で洗濯洗剤組成物を使用する場合に、特に問題となる。
【発明の開示】
【発明が解決しようとする課題】
【０００４】
アニオン性洗浄界面活性剤が溶液から析出するような方式で洗浄溶液中の遊離カチオン類と錯体を形成する傾向は、ゼオライトビルダー類及びリン酸塩ビルダー類などの、カルシウムカチオン及びマグネシウムカチオンのようなカチオン類との高い結合定数を有するビルダー類の存在によって緩和される。これらのビルダー類は、遊離カルシウム及びマグネシウムカチオン類を隔離し、これらの望ましくない錯体類の形成を軽減する。しかし、ゼオライトビルダー類は非水溶性であり、それらを洗濯洗剤組成物に組み込むと、当該洗濯洗剤組成物の溶解性が低下し、また、好ましくない残留物が布地に付着する可能性もある。加えて、高濃度のゼオライトビルダーを含む洗剤組成物は、水に接触すると、望ましくない濁った洗浄溶液を形成する。リン酸塩ビルダー類は、好ましい環境特性を持たないと言われるなか、例えば多くの国でのホスフェート規制の理由から、洗濯洗剤組成物中でのそれらの使用はあまり見られなくなりつつある。
【０００５】
アルキルベンゼンスルホネート及びアルキルエトキシル化スルフェート洗浄界面活性剤を含む洗剤組成物は、ＧＢ１４０８９６９、ＧＢ１４０８９７０、米国特許第４４８７７１０号及び米国特許第５６６３１３６号に記載されている。広範な水の硬度で染み除去効果を高めたとされるアニオン性洗浄界面活性剤及び非イオン性洗浄界面活性剤を含む洗剤組成物は、ＰＣＴ国際公開特許２００４／０４１９８２に記載されている。顆粒状洗剤と、水蒸気透過率（moisture vapour transfer rate）の低い包装システムとの組み合わせは、ＥＰ６３４４８４に記載されている。
【０００６】
良好な布地洗浄性能、特に、良好な油染み洗浄性能、良好な白色度維持、及び極めて良好な分配及び溶解特性を備えるアニオン性洗浄界面活性剤を含む固形洗濯洗剤組成物の必要性が残されている。
【課題を解決するための手段】
【０００７】
ゼオライトビルダー及びリン酸塩ビルダーを含まない、又は低濃度で含む固形洗濯洗剤組成物に組み込まれる場合、アルキルベンゼンスルホン酸界面活性剤と分枝鎖又は直鎖アルキルアルコキシル化サルフェート界面活性剤との組み合わせが、良好な布地洗浄性能、及び極めて良好な分配及び溶解特性を備える界面活性剤系であることを発明者らは見いだした。
【０００８】
本発明は、（ａ）前記組成物の０．１重量％〜５重量％の分枝鎖アルキルアルコキシル化サルフェート界面活性剤、（ｂ）前記組成物の０．１重量％〜５重量％の直鎖アルキルアルコキシル化サルフェート界面活性剤、（ｃ）０．１重量％〜３５重量％の直鎖アルキルベンゼンスルホン酸界面活性剤、（ｄ）０重量％〜５重量％のゼオライトビルダー、（ｅ）０重量％〜５重量％のリン酸塩ビルダー、及び（ｆ）任意の補助剤成分を含み、分枝鎖アルキルアルコキシル化サルフェート界面活性剤と直鎖アルキルアルコキシル化サルフェート界面活性剤との重量比は、０．２：１〜４：１の範囲内である固形洗濯洗剤組成物を提供する。
【発明を実施するための最良の形態】
【０００９】
分枝鎖アルキルアルコキシル化サルフェート界面活性剤
本組成物は、組成物の０．１重量％〜５重量％、好ましくは０．５重量％又は１重量％から、好ましくは３重量％又は２重量％までの分枝鎖アルキルアルコキシル化サルフェート界面活性剤を含む。分枝鎖アルキルアルコキシル化サルフェート界面活性剤は、１〜７、好ましくは２又は３から、好ましくは５又は３までの平均アルコキシル化度を有する。好ましくは、分枝鎖アルキルアルコキシル化サルフェート界面活性剤の平均アルコキシル化度は３である。分枝鎖アルキルアルコキシル化サルフェート界面活性剤は一般に、Ｃ１〜Ｃ３のアルキル部分、好ましくはメチル、又は好ましくはエチル部分が分枝する。好ましくは、分枝鎖アルキルアルコキシル化サルフェート界面活性剤は、Ｃ１〜Ｃ３のアルキル部分が分枝する、Ｃ８〜Ｃ１８、好ましくはＣ１２〜Ｃ１５のアルキルエトキシ化サルフェート界面活性剤である。
【００１０】
分枝鎖アルキルアルコキシル化サルフェート界面活性剤は、好ましくは（ａ）アルキル鎖の１．２重量％未満が１２炭素原子未満の鎖長を有するアルキル鎖であり、（ｂ）アルキル鎖の０重量％〜３０重量％、好ましくは５重量％〜２０重量％が１２炭素原子の鎖長を有するアルキル鎖であり、（ｃ）アルキル鎖の１０重量％〜６０重量％、好ましくは４０重量％〜５０重量％が１４炭素原子の鎖長を有するアルキル鎖であり、及び（ｄ）アルキル鎖の４重量％未満が１５炭素原子を超える鎖長を有するアルキル鎖であるようなアルキル鎖長分布を有する。
【００１１】
直鎖アルキルアルコキシル化サルフェート界面活性剤
本組成物は、組成物の０．１重量％〜５重量％、好ましくは０．５重量％又は１重量％から、好ましくは３重量％又は２重量％までの直鎖アルキルアルコキシル化サルフェート界面活性剤を含む。直鎖アルキルアルコキシル化サルフェート界面活性剤は、１〜７、好ましくは２又は３から、好ましくは５又は３までの平均アルコキシル化度を有する。好ましくは、直鎖アルキルアルコキシル化サルフェート界面活性剤の平均アルコキシル化度は３である。好ましくは、直鎖アルキルアルコキシル化サルフェート界面活性剤は、直鎖Ｃ８〜Ｃ１８、より好ましくはＣ１２〜Ｃ１５のアルキルエトキシ化サルフェート界面活性剤である。
【００１２】
好ましくは、直鎖アルキルアルコキシル化サルフェート界面活性剤は、（ａ）アルキル鎖の１．２重量％未満が１２炭素原子未満の鎖長を有するアルキル鎖であり、（ｂ）アルキル鎖の０重量％〜３０重量％、好ましくは５重量％〜２０重量％が１２炭素原子の鎖長を有するアルキル鎖であり、（ｃ）アルキル鎖の１０重量％〜６０重量％、好ましくは４０重量％〜５０重量％が１４炭素原子の鎖長を有するアルキル鎖であり、及び（ｄ）アルキル鎖の４重量％未満が１５炭素原子を超える鎖長を有するアルキル鎖であるようなアルキル鎖長分布を有する。
【００１３】
直鎖アルキルベンゼンスルホン酸界面活性剤
本組成物は、０．１重量％〜３５重量％、好ましくは５重量％又は１０重量％から、好ましくは３０重量％又は２５重量％又は２０重量％までの直鎖アルキルベンゼンスルホン酸を含む。直鎖アルキルベンゼンスルホン酸は、置換又は非置換であってよい。好ましくは、直鎖アルキルベンゼンスルホン酸は、直鎖Ｃ８〜Ｃ１８、Ｃ１１〜Ｃ１３のアルキルベンゼンスルホン酸である。
【００１４】
洗濯洗剤組成物
固形洗濯洗剤組成物は、（ａ）前記組成物の０．１重量％〜５重量％の分枝鎖アルキルアルコキシル化サルフェート界面活性剤、（ｂ）前記組成物の０．１重量％〜５重量％の直鎖アルキルアルコキシル化サルフェート界面活性剤、（ｃ）０．１重量％〜３５重量％の直鎖アルキルベンゼンスルホン酸界面活性剤、（ｄ）０重量％〜５重量％のゼオライトビルダー、（ｅ）０重量％〜５重量％のリン酸塩ビルダー、及び（ｆ）任意の補助剤成分を含み、分枝鎖アルキルアルコキシル化サルフェート界面活性剤と直鎖アルキルアルコキシル化サルフェート界面活性剤との重量比が、０．２：１〜４：１、好ましくは０．４：１〜４：１の範囲内である。
【００１５】
分枝鎖アルキルアルコキシル化サルフェート界面活性剤と直鎖アルキルアルコキシル化サルフェート界面活性剤との重量比は、０．２：１〜４：１、好ましくは０．４：１〜４：１、更により好ましくは０．６：１又は０．８：１更に又は１：１から、好ましくは３：１又は２：１更に又は１．５：１までの範囲内である。分枝鎖又は直鎖アルコキシル化サルフェート界面活性剤類の好適な市販品は、分枝鎖アルキルアルコキシル化サルフェート界面活性剤及び直鎖アルキルアルコキシル化サルフェート界面活性剤の両方を含む界面活性剤混合物であってもよく、この界面活性剤混合物はペースト状であってもよい。
【００１６】
好ましくは、直鎖アルキルベンゼンスルホン酸と直鎖及び分枝鎖アルキルアルコキシル化サルフェート界面活性剤の総量との重量比は、１：１〜２０：１、好ましくは２．３：１〜１０：１の範囲内である。
【００１７】
本組成物は、０重量％〜５重量％、好ましくは４重量％まで、又は３重量％まで、又は２重量％まで、更に又は１重量％までのゼオライトビルダーを含む。好ましくは本組成物は、ゼオライトビルダーを実質的に含まない。ゼオライトビルダーを実質的に含まないとは、通常、ゼオライトビルダーが故意に組成物に組み込まれないことを意味する。代表的なゼオライトビルダーは、ゼオライトＡ、ゼオライトＰ、及びゼオライトＭＡＰである。
【００１８】
本組成物は、０重量％〜５重量％、好ましくは４重量％まで、又は３重量％まで、又は２重量％まで、更に又は１重量％までのリン酸塩ビルダーを含む。好ましくは本組成物は、リン酸塩ビルダーを実質的に含まない。リン酸塩ビルダーを実質的に含まないとは、通常、リン酸塩ビルダーが故意に組成物に組み込まれないことを意味する。代表的なリン酸塩ビルダーは、トリポリリン酸ナトリウムである。
【００１９】
好ましくは、分枝鎖アルキルアルコキシル化サルフェート界面活性剤、直鎖アルキルアルコキシル化サルフェート界面活性剤、及び直鎖アルキルベンゼンスルホン酸界面活性剤は、共同微粒子混合物の状態であり、これは通常、アルキルアルコキシル化サルフェート界面活性剤、直鎖アルキルアルコキシル化サルフェート界面活性剤、及び直鎖アルキルベンゼンスルホン酸界面活性剤が、組成物中に同一の粒子で存在することを意味する。共同微粒子混合物又は粒子は、粒塊、押出品、フレーク、針状、めん状、噴霧乾燥粒子の形状とすることができる。好ましくは、共同微粒子混合物又は粒子は粒塊である。好ましくは、共同微粒子混合物又は粒子は、共同微粒子混合物又は粒子の１０重量％以下が８５０マイクロメートルを超える粒径を有し、共同微粒子混合物又は粒子の１０重量％以下が２５０マイクロメートル未満の粒径を有するような粒径分布を有する。共同微粒子混合物は、好ましくは４５０ｇ／Ｌ〜１，５００ｇ／Ｌ、より好ましくは８００ｇ／Ｌ〜１，２００ｇ／Ｌのバルク密度を有する。
【００２０】
本組成物は、顆粒状又はタブレットなどその他の固形状とすることができる。好ましくは、本組成物は粒子状であり、より好ましくは自由流動粒子状である。
【００２１】
好ましくは、本組成物は、組成物の１０重量％以下が８５０マイクロメートルを超える粒径を有し、組成物の１０重量％以下が２５０マイクロメートル未満の粒径を有するような粒径分布を有する。
【００２２】
補助剤成分
本組成物は、任意に補助剤成分を含む。前記補助剤成分は、典型的には、その他アニオン性界面活性剤、カチオン性界面活性剤、非イオン性界面活性剤、双性イオン性界面活性剤、その他ビルダー類、高分子ポリカルボキシレート類のようなカルボキシレート高分子コビルダー類、漂白剤、ヒドロトロープ、キレート剤、酵素類、再汚染防止ポリマー類、汚れ放出ポリマー類、高分子汚れ分散及び／又は汚れ懸濁剤、移染防止剤、布地保全剤、蛍光増白剤、泡抑制剤、柔軟仕上げ剤、凝集剤、カチオン性布地柔軟化成分、香料、及びこれらの組み合わせから成る群から選択される。
【００２３】
好適な補助剤成分は、アルキルアルコキシル化サルフェート界面活性剤、直鎖アルキルアルコキシル化サルフェート界面活性剤、及び直鎖アルキルベンゼンスルホン酸界面活性剤以外のアニオン性界面活性剤とすることができる。好適なその他のアニオン性界面活性剤は、分枝鎖又は直鎖Ｃ８〜Ｃ１８アルキルサルフェート界面活性剤である。特に好適なその他のアニオン性界面活性剤は、メチル分枝鎖Ｃ８〜Ｃ１８アルキルサルフェート界面活性剤である。
【００２４】
好適な補助剤成分は、高分子ポリカルボキシレートである。好適な高分子ポリカルボキシレート類は、通常、８．３Ｅ−２１ｇ（５，０００Ｄａ）〜１．７Ｅ−２０ｇ（１０，０００Ｄａ）、又は８．３Ｅ−２０ｇ（５０，０００Ｄａ）〜１．５Ｅ−１９ｇ（９０，０００Ｄａ）の重量平均分子量を有するマレイン酸及びアクリル酸のコポリマーである。好ましくは、マレイン酸とアクリル酸とのモル比は、０．２５：１〜０．３５：１、又は１：１〜０．５：１の範囲内である。
【００２５】
本組成物は、好ましくは炭酸塩源、好ましくは炭酸ナトリウム及び／又は重炭酸ナトリウムを含む。本組成物は、好ましくは硫酸ナトリウムを含む。好ましくは、炭酸ナトリウムと硫酸ナトリウムとの重量比は、存在する場合、０．１：１〜１０：１、より好ましくは０．２から又は０．３から又は０．４から、及びより好ましくは５：１まで又は２：１まで又は１：１まで又は０．８：１まで又は０．６：１までの範囲内である。
【００２６】
本組成物は、好ましくはヒドロトロープを含む。好適なヒドロトロープとして、クメン硫酸ナトリウム、トルエン硫酸ナトリウム、キシレン硫酸ナトリウム、平均エトキシル化度が５０〜１００のタローアルキルエトキシレートが挙げられる。
【実施例】
【００２７】
実施例１
【表１】
2008530272.tif 000002
【００２８】
１．２％アグロメレーション方法
上述のアニオン性界面活性剤粒塊（実施例１．１に記載）を以下の方法で調製する。
【００２９】
ＴＡＥ８０、コポリマー、及びＬＡＳ、分枝鎖ＡＥ３Ｓ、及び直鎖ＡＥ３Ｓを含む水性アニオン性界面活性剤ペーストを二軸押出成形機に投入し、ロジゲ（Lodige）ＣＢミキサー内に押し出す。硫酸ナトリウム及び炭酸ナトリウムを含む乾燥原料をロジゲ（Lodige）ＣＢミキサーに投入し、ＴＡＥ８０、コポリマー、及びアニオン性界面活性剤ペーストと混ぜて混合物を形成する。次いで混合物をロジゲ（Lodige）ＫＭミキサーに移し、水をＫＭ内に噴霧し、混合物を塊にして中間体粒塊を形成させる。中間体粒塊をロジゲ（Lodige）ＫＭミキサーから出し、ふるいに通し、５ミリメートルを超える粒径を有する中間体粒塊を中間体粒塊残部から除き、ロジゲ（Lodige）ＫＭミキサーに戻して再利用する。中間体粒塊の残存部分を流動床乾燥機、及び次いで流動床冷却器に移す。極小の粒径を有する中間体粒塊（すなわち、２５０マイクロメートル未満の粒径を有する微粉）を流動床排気システムにより水ひし、ここで集めてＣＢミキサーに戻して再利用する。中間体粒塊の残存部分を流動床冷却器から出し、ふるいに通し、８５０マイクロメートルを超える粒径を有する中間体粒塊を中間体粒塊残部から除き、グラインダーを通してより小さい粒径を有する粒子に研磨し、次いで流動床乾燥機に戻して再利用する。中間体粒塊の残存部分を集め、本発明で使用するのに好適とし、この残存部分が上述した処方（実施例１．１）を有するアニオン性界面活性剤粒塊である。
【表２】
2008530272.tif 000003
【００３０】
１．４  製品最終化方法
上述のアニオン性界面活性剤粒塊（実施例１．１に記載）を、重炭酸ナトリウム、亜硫酸ナトリウム、ポリビニルピロリドン、疎水性シリカ、及び乾燥添加香料を含む固体原料と混合する。スプレーオン香料及び橙色染料（液体状）を次いでこの混合物上に噴霧し、上記（実施例１．３）により詳細に述べた固形洗濯洗剤組成物を得る。
【００３１】
実施例２
硫酸ナトリウムの一部を、ロジゲ（Lodige）ＣＢミキサーの他にロジゲ（Lodige）ＫＭミキサーに添加する以外は実施例１と同様。
【００３２】
実施例３
粒塊が３７重量％の硫酸ナトリウム（４０重量％ではない）及び３重量％のゼオライトＡを含む以外は実施例１と同様。ゼオライトＡを、重量平均粒子サイズが２マイクロメートル〜２５マイクロメートルの微粒子状で流動床乾燥機内に加える。
【００３３】
実施例４
固形洗濯洗剤組成物が７６重量％のアニオン性界面活性剤粒塊（実施例１．１に記載）及び２重量％のゼオライトＡを含む以外は実施例１と同様。ゼオライトＡは、平均粒子サイズが２マイクロメートル〜２５マイクロメートルの微粒子状であり、製品最終化方法中、重炭酸ナトリウムなどその他の乾燥状態で添加する原料と共にアニオン性界面活性剤粒塊に添加する。
【国際調査報告】
2008530272.tif 000004
2008530272.tif 000005